(57)【特許請求の範囲】
【請求項１】
ピン接合により直列に接合された複数の上弦材と、該複数の上弦材の下方に配置されるとともに、ピン接合により直列に接合された複数の下弦材と、前記各上弦材のピン接合部と前記各下弦材のピン接合部との間を斜めに接合するブレースとを備えた可変トラス構造体が並列に複数配置され、各可変トラス構造体の両端の上弦材が躯体側に支持された可変トラス構造物により構成された構造であって、
隣接する一方の可変トラス構造体の上弦材の上部と隣接する他方の可変トラス構造体の上弦材の上部との間に架設される複数のパネル部材と、
該各パネル部材を、前記一方の可変トラス構造体の上弦材の上部及び前記他方の可変トラス構造体の上弦材の上部に、両可変トラス構造体の各上弦材の移動に追従して移動可能に支持する支持手段とを備えてなることを特徴とする可変トラス構造物により構成された構造。
【請求項２】
前記支持手段は、前記一方の可変トラス構造体のピン接合により接合された２つの上弦材の何れか一方に一体に立設される第１支持部材と、
前記他方の可変トラス構造体のピン接合により接合された２つの上弦材の何れか一方に立設される第２支持部材と、該第２支持部材を前記何れか一方の上弦材に、前記他方の可変トラス構造体の上弦材、下弦材、及びブレースを含む面内方向、及びその面外方向に回動可能に支持する第１継手と、
前記パネル部材を、前記第１支持部材の上端に、前記一方の可変トラス構造体の上弦材、下弦材、及びブレースを含む面内方向、及び前記第１支持部材の軸周りに回動可能に支持する第２継手と、
前記パネル部材を、前記第２支持部材の上端に、前記他方の可変トラス構造体の上弦材、下弦材、及びブレースを含む面内方向、その面外方向、及び前記第２支持部材の軸周りに回動可能に支持する第３継手とを備えてなることを特徴とする請求項１に記載の可変トラス構造物により構成された構造。
【請求項３】
前記パネル部材は三角形板状をなし、該パネル部材の第１頂点及び第２頂点が前記一方の可変トラス構造体側の一対の第１支持部材の上端に前記第２継手を介して支持され、該パネル部材の第３頂点が前記他方の可変トラス構造体側の第２支持部材の上端に前記第３継手を介して支持されていることを特徴とする請求項１又は２に記載の可変トラス構造物により構成された構造。
【請求項４】
前記構造は屋根架構であることを特徴とする請求項１〜３のうち何れか１項に記載の可変トラス構造物により構成された構造。
【請求項５】
ピン接合により直列に接合された複数の上弦材と、該複数の上弦材の下方に配置されるとともに、ピン接合により直列に接合された複数の下弦材と、前記各上弦材のピン接合部と前記各下弦材のピン接合部との間を斜めに接合するブレースとを備えた可変トラス構造体が並列に複数配置され、各可変トラス構造体の両端の上弦材が躯体側に支持された可変トラス構造物により構成された構造において、隣接する一方の可変トラス構造体の上弦材の上部と隣接する他方の可変トラス構造体の上弦材の上部との間に架設される複数のパネル部材を前記可変トラス構造物に追従して移動させる方法であって、
該各パネル部材を、前記一方の可変トラス構造体の上弦材の上部及び前記他方の可変トラス構造体の上弦材の上部に、両可変トラス構造体の各上弦材の移動に追従して移動させることを特徴とするパネル部材を可変トラス構造物に追従して移動させる方法。
【発明の詳細な説明】
【技術分野】
【０００１】
本発明は、可変トラス構造物により構成された構造、及びパネル部材を可変トラス構造物の移動に追従して移動させる方法に関する。
【背景技術】
【０００２】
可変トラス構造物の一例が特許文献１に記載されている。この可変トラス構造物は、ピン接合により直列に接合された複数の上弦材と、複数の上弦材の下方に配置されるとともに、ピン接合により直列に接合された伸縮可能な複数の下弦材と、各上弦材のピン接合部と各下弦材のピン接合部との間を斜めに接合するブレースとを備えた可変トラス構造体を、４本のポストによって支持された各一対の屋根支持架台間に架設し、隣接する可変トラス構造体の上弦材の上面間に屋根膜を張設し、この屋根膜によって複数の可変トラス構造体の上部開口を閉塞する屋根を構成したものである。
【０００３】
この場合、各可変トラス構造体の下弦材は、伸縮可能なアクチュエータを直列に接続して構成され、各可変トラス構造体のアクチュエータを伸縮させて下弦材の全長を変化させることにより、下弦材の全長の変化に追従して上弦材がピン接合部を介して回動し、上弦材の動きに追従して屋根膜が変形し、屋根全体を所望の形状に変化させることができるものである。
【特許文献１】特開２００４−１９７４２６号公報
【発明の開示】
【発明が解決しようとする課題】
【０００４】
ところで、上記のような構成の可変トラス構造物にあっては、隣接する可変トラス構造体間に柔軟性を有する素材からなる屋根膜を張設して、屋根膜を各可変トラス構造体の形状の変化に追従して変形させているため、屋根膜に引張力、圧縮力が繰り返し作用することにより屋根膜の耐久性が低下する問題が生じる。また、屋根膜の変形形状によっては屋根膜に弛みが生じ、美観を損う問題が生じるとともに、弛んだ部分に雨水や雪等が滞留する問題も生じる。
【０００５】
本発明は、上記のような従来の問題に鑑みなされたものであって、耐久性を損うことなく可変トラス構造体の形状変化に追従して移動できるとともに、変化する形状によって美観を損うことがなく、また雨水や雪等が滞留することもない、可変トラス構造物により構成された構造及びこの構造においてパネル部材を可変トラス構造物に追従して移動させる方法を提供することを目的とする。
【課題を解決するための手段】
【０００６】
上記のような課題を解決するために、本発明は、以下のような手段を採用している。
すなわち、本発明の可変トラス構造物により構成された構造は、ピン接合により直列に接合された複数の上弦材と、該複数の上弦材の下方に配置されるとともに、ピン接合により直列に接合された複数の下弦材と、前記各上弦材のピン接合部と前記各下弦材のピン接合部との間を斜めに接合するブレースとを備えた可変トラス構造体が並列に複数配置され、各可変トラス構造体の両端の上弦材が躯体側に支持された可変トラス構造物により構成された構造であって、隣接する一方の可変トラス構造体の上弦材の上部と隣接する他方の可変トラス構造体の上弦材の上部との間に架設される複数のパネル部材と、該各パネル部材を、前記一方の可変トラス構造体の上弦材の上部及び前記他方の可変トラス構造体の上弦材の上部に、両可変トラス構造体の各上弦材の移動に追従して移動可能に支持する支持手段とを備えてなることを特徴とする。
【０００７】
本発明の可変トラス構造物により構成された構造によれば、隣接する両可変トラス構造体の上弦材の上部間に架設されるパネル部材は、支持手段を介して隣接する一方の可変トラス構造体の上弦材の上部と他方の可変トラス構造体の上弦材の上部との間に架設されて、隣接する両可変トラス構造体の各上弦材の移動に追従して移動可能に構成されているので、パネル部材が移動する際に、パネル部材の各部に圧縮力や引張力等が繰り返し作用するようなことはなく、パネル部材の耐久性が損われるようなことはない。また、パネル部材が移動しても、パネル部材に弛みが生じるようなことはないので、美観を損うようなこともない。さらに、パネル部材に弛みが生じることがないので、パネル部材の表面に雨水や雪等が滞留することもない。
【０００８】
また、本発明の可変トラス構造物により構成された構造は、前記支持手段は、前記一方の可変トラス構造体のピン接合により接合された２つの上弦材の何れか一方に一体に立設される第１支持部材と、前記他方の可変トラス構造体のピン接合により接合された２つの上弦材の何れか一方に立設される第２支持部材と、該第２支持部材を前記何れか一方の上弦材に、前記他方の可変トラス構造体の上弦材、下弦材、及びブレースを含む面内方向、及びその面外方向に回動可能に支持する第１継手と、前記パネル部材を、前記第１支持部材の上端に、前記一方の可変トラス構造体の上弦材、下弦材、及びブレースを含む面内方向、及び前記第１支持部材の軸周りに回動可能に支持する第２継手と、前記パネル部材を、前記第２支持部材の上端に、前記他方の可変トラス構造体の上弦材、下弦材、及びブレースを含む面内方向、その面外方向、及び前記第２支持部材の軸周りに回動可能に支持する第３継手とを備えてなることを特徴とすることとしてもよい。
【０００９】
本発明の可変トラス構造物により構成された構造によれば、隣接する一方の可変トラス構造体のピン接合により接合された２つの上弦材の何れか一方に一体に第１支持部材が立設され、隣接する他方の可変トラス構造体のピン接合により接合された２つの上弦材の何れか一方に第１継手を介して第２支持部材が立設され、第１支持部材の上端と第２支持部材の上端との間に、第２継手及び第３継手を介してパネル部材が架設されることになる。
従って、隣接する一方の可変トラス構造体の上弦材及び隣接する他方の可変トラス構造体の上弦材が独立して移動した際に、パネル部材は、一方の可変トラス構造体側では、一方の可変トラス構造体の上弦材、下弦材、及びブレースを含む面内方向、及び第１支持部材の軸周りに回動し、他方の可変トラス構造体側では、他方の可変トラス構造体の上弦材、下弦材、及びブレースを含む面内方向、その面外方向、及び第２支持部材の軸周りに回動することになり、各可変トラス構造体の上弦材の移動に追従して移動することが可能となる。
【００１０】
さらに、本発明の可変トラス構造物により構成された構造は、前記パネル部材は三角形板状をなし、該パネル部材の第１頂点及び第２頂点が前記一方の可変トラス構造体側の一対の第１支持部材の上端に前記第２継手を介して支持され、該パネル部材の第３頂点が前記他方の可変トラス構造体側の第２支持部材の上端に前記第３継手を介して支持されていることを特徴とすることとしてもよい。
【００１１】
本発明の可変トラス構造物により構成された構造によれば、三角形板状のパネル部材は、第１頂点及び第２頂点が隣接する一方の可変トラス構造体側の一対の支持部材の上端に第２継手を介して支持され、第３頂点が隣接する他方の可変構造体側の第２支持部材の上端に第３継手を介して支持される。つまり、三角形板状のパネル部材は３点で支持されることになるので、隣接する両可変トラス構造体の上弦材の移動に追従して円滑に移動することが可能となる。
【００１２】
さらに、本発明の可変トラス構造物により構成された構造は、前記構造は屋根架構であることを特徴とすることとしてもよい。
【００１３】
さらに、本発明のパネル部材を可変トラス構造物に追従して移動させる方法は、ピン接合により直列に接合された複数の上弦材と、該複数の上弦材の下方に配置されるとともに、ピン接合により直列に接合された複数の下弦材と、前記各上弦材のピン接合部と前記各下弦材のピン接合部との間を斜めに接合するブレースとを備えた可変トラス構造体が並列に複数配置され、各可変トラス構造体の両端の上弦材が躯体側に支持された可変トラス構造物により構成された構造において、隣接する一方の可変トラス構造体の上弦材の上部と隣接する他方の可変トラス構造体の上弦材の上部との間に架設される複数のパネル部材を前記可変トラス構造物に追従して移動させる方法であって、該各パネル部材を、前記一方の可変トラス構造体の上弦材の上部及び前記他方の可変トラス構造体の上弦材の上部に、両可変トラス構造体の各上弦材の移動に追従して移動させることを特徴とする。
【発明の効果】
【００１４】
以上、説明したように、本発明の可変トラス構造物により構成された構造によれば、パネル部材は、支持手段を介して隣接する一方の可変トラス構造体の上弦材の上部と他方の可変トラス構造体の上弦材の上部との間に架設されて、隣接する両可変トラス構造体の各上弦材の移動に追従して移動可能に構成されているので、各可変トラス構造体の各上弦材の移動によってパネル部材が移動しても、パネル部材に圧縮力や引張力等が繰り返し作用して、パネル部材の耐久性が損われるようなことはない。また、パネル部材が移動しても、パネル部材に弛みが生じるようなことはないので、美観を損うようなこともない。さらに、パネル部材に弛みが生じることがないので、パネル部材の表面に雨水や雪等が滞留することもない。
【発明を実施するための最良の形態】
【００１５】
以下、図面を参照しながら本発明の実施の形態について説明する。
図１〜図６には、本発明による可変トラス構造物により構成された構造の一実施の形態が示されていて、図１は全体を示す概略図、図２は図１の部分拡大図、図３は図２のＡ部の拡大図、図４は可変トラス構造体の模式図、図５は可変トラス構造体の変形の状態を示す説明図、図６はパネル部材の移動の状態を示す説明図である。
【００１６】
すなわち、本実施の形態の可変トラス構造物により構成された構造は、屋根架構２に適用したものであって、図１に示すように、躯体４の上部開口５に並列に配置される複数の可変トラス構造体１０と、隣接する２つの可変トラス構造体１０、１０間に架設される複数のパネル部材２０と、各パネル部材２０を隣接する２つの可変トラス構造体１０、１０間に移動可能に支持する支持手段２５とを備えている。
【００１７】
各可変トラス構造体１０は、図２〜図４に示すように、複数の三角形状のトラス１１を直列に繋ぎ合せて、側面視（図２のＢ矢視）弓形状に形成したものであって、躯体４の上部開口５に所定の間隔ごとに互いに平行をなすように配置されている。
【００１８】
各可変トラス構造体１０は、図２〜図４に示すように、ピン接合により直列に接合された複数の上弦材１２と、複数の上弦材１２の下方に所定の間隔をおいて平行に配置されるとともに、ピン接合により直列に接合された伸縮可能な複数の下弦材１４と、各上弦材１２の各ピン接合部１３と各下弦材１４の各ピン接合部１７との間を斜めに接合する２つのブレース１８、１８とを備え、各上弦材１２と２つのブレース１８、１８とにより、及び各下弦材１４と２つのブレース１８、１８とにより、それぞれ三角形状のトラス１１が構成されている。
【００１９】
各可変トラス構造体１０は、複数の上弦材１２がピン接合により直列に接合され、両端の上弦材１２が躯体４側に固定され、各下弦材１４が伸縮可能に構成されていることにより、上弦材１２、下弦材１４、及びブレース１８を含む鉛直方向を向く面内において、各下弦材１４の伸縮に追従して隣接する上弦材１２、１２が各ピン接合部１３のヒンジ１３ａを介して上記の面内方向に相互に回動する。
【００２０】
各可変トラス構造体１０の各下弦材１４は、図３に示すように、例えば、下弦材本体１５と、下弦材本体１５に直列に接続される、上弦材１２、下弦材１４、及びブレース１８を含む面内方向に伸縮可能なアクチュエータ１６（例えば、油圧シリンダ）とから構成される。アクチュエータ１６を面内方向に伸縮させることにより、アクチュエータ１６の伸縮に追従して各下弦材１４の全長が変化し、各下弦材１４の全長の変化に追従して隣接する上弦材１２、１２がピン接合部１３のヒンジ１３ａを介して同一方向に回動し、各上弦材１２の動きに追従して各上弦材１２の上部に架設されるパネル部材２０が支持手段２５を介して移動することになる。
【００２１】
隣接する２つの可変トラス構造体１０ａ、１０ｂは、図２に示すように、隣接する一方の可変トラス構造体１０ａの上弦材１２、１２間のピン接合部１３が他方の可変トラス構造体１０ｂの上弦材１２、１２間のピン接合部１３に対して相対的に単位トラス１１の半分だけずれた位置に位置するように、つまり、各可変トラス構造体１０ａの上弦材１２、１２間のピン接合部１３が各可変トラス構造体１０ｂの上弦材１２の中間部に位置するように、躯体４の上部開口５に並列に配置され、このような位置関係にある各隣接する両可変トラス構造体１０ａ、１０ｂ間に長手方向に沿ってそれぞれ複数のパネル部材が設けられている。
【００２２】
一方の可変トラス構造体１０ａの各上弦材１２の各ピン接合部１３と他方の可変トラス構造体１０ｂの各上弦材１２の各ピン接合部１３との間は、図２及び図３に示すように、上弦材１２によって斜めに接合されており、これにより、隣接する両可変トラス構造体１０ａ、１０ｂの上面側にピン接合により互いに接合された３つの上弦材１２、１２、１２からなる三角形状のトラス１１が連続して設けられ、各三角形状のトラス１１に対応するように、両可変トラス構造体１０ａ、１０ｂ間に長手方向にそって複数のパネル部材２０が設けられている。
【００２３】
パネル部材２０は、例えば、スチール、アルミ等の金属製、木製、合成樹脂製等の三角形板状をなすものであって、図６に示すように、一方の可変トラス構造体１０ａの各上弦材１２の上方に一辺側の第１頂点２０ａ及び第２頂点２０ｂが位置し、他方の可変トラス構造体１０ｂの隣接する上弦材１２、１２間のピン接合部１３の上方に第３頂点２０ｃが位置するように、一方の可変トラス構造体１０ａの長手方向に連続して設けられる。
【００２４】
また、他方の可変トラス構造体１０ｂの各上弦材１２の上方に一辺側の第１頂点２０ａ及び第２頂点２０ｂが位置し、一方の可変トラス構造体１０ａの隣接する上弦材１２、１２間のピン接合部１３の上方に第３頂点２０ｃが位置するように、他方の可変トラス構造体１０ｂの長手方向に連続して設けられる。
【００２５】
この場合、各可変トラス構造体１０ａ、１０ｂの長手方向に連続して設けられる複数のパネル部材２０の隣接するパネル部材２０、２０間には所定の隙間２１が設けられ、この隙間２１によって各可変トラス構造体１０ａ、１０ｂの各上弦材１２の動きに追従して各パネル部材２０を円滑に移動させることができる。また、上記の隙間２１は、柔軟性を有するシール部材２２（ゴム、合成樹脂製等から形成されるシート状部材、蛇腹状部材等）で閉塞され、上記の隙間２１を介して雨水や雪等が躯体４の内部に浸入するのが防止されるとともに、シール部材２２が隣接するパネル部材２０、２０の相対的な移動を阻害するのが防止される。
【００２６】
支持手段２５は、図６に示すように、一方の可変トラス構造体１０ａのピン接合により接合された２つの上弦材１２、１２のピン接合部１３に近接する何れか一方の上弦材１２の部分に一体に立設される第１支持部材２６と、他方の可変トラス構造体１０ｂのピン接合により接合された２つ上弦材１２、１２のピン接合部１３に近接する何れか一方の上弦材１２の部分に立設される第２支持部材２７と、第２支持部材２７と上記の一方の上弦材１２との間に設けられる第１継手２８と、第１支持部材２６の上端部に設けられる第２継手２９と、第２支持部材２７の上端部に設けられる第３継手３０とを備え、第１支持部材２６の上端と第２支持部材２７の上端との間に第２継手２９及び第３継手３０を介してパネル部材２０が移動可能に支持されている。
【００２７】
第１継手２８は、第２支持部材２７を隣接する他方の可変トラス構造体１０ｂの上弦材１２、下弦材１４、及びブレース１８を含む面内方向及びその面外方向（図６中矢印方向、下弦材１３及びブレース１８は図２、３参照）に回動可能に支持する機能を有している。また、第２継手２９は、パネル部材２０を、第１支持部材２６の上端部に、一方の可変トラス構造体１０ａの上弦材１２、下弦材１４、及びブレース１８を含む面内方向、及び第１支持部材２６の軸周り（図６中矢印方向、下弦材１３及びブレース１８は図２、３参照）に回動可能に支持する機能を有している。さらに、第３継手３０は、パネル部材２０を、第２支持部材２７の上端部に、他方の可変トラス構造１０ｂの上弦材１２、下弦材１４、及びブレース１８を含む面内方向、その面外方向、及び第２支持部材２７の軸周り（図６中矢印方向、下弦材１３及びブレース１８は図２、３参照）に回動可能に支持する機能を有している。
【００２８】
なお、上記においては、一方の可変トラス構造体１０ａの複数の上弦材１２に沿って連続して設けられる複数のパネル部材２０の支持手段２５について説明しているが、他方の可変トラス構造体１０ｂの複数の上弦材１２に沿って連続して設けられる複数のパネル部材２０の支持手段２５は、他方の可変トラス構造体１０ｂのピン接合により接合された２つの上弦材１２、１２のピン接合部１３に近接する何れか一方の上弦材１２の部分に第１支持部材２６が立設され、一方の可変トラス構造体１０ａのピン接合により接合された２つの上弦材１２、１２のピン接合部１３に近接する何れか一方の上弦材１２の部分に第１継手２８を介して第２支持部材２７が立設され、一対の第１支持部材２６、２６の上端に第２継手２９を介してパネル部材２０の第１頂点２０ａ及び第２頂点２０ｂが支持され、第２支持部材２７の上端に第３継手３０を介してパネル部材２０の第３頂点２０ｃが支持されることになる。
【００２９】
上記のような機能を有する第１継手、第２継手、及び第３継手を介して、一対の第１支持部材２６の上端と第２支持部材２７の上端との間でパネル部材２０の第１頂点２０ａ、第２頂点２０ｂ、及び第３頂点２０ｃを支持することにより、隣接する両可変トラス構造体１０ａ、１０ｂの各上弦材１２の動きに追従して各パネル部材２０を移動させることができる。
【００３０】
なお、本実施の形態においては、第１継手２８、第２継手２９、及び第３継手３０に各種の自在継手を用いているが、第１継手２８、及び第３継手３０に３次元自在継手を用い、第２継手２９に２次元自在継手を用いることが好ましい。
【００３１】
上記のように構成した本実施の形態による可変トラス構造物１により構成された屋根架構２は、例えば、図１及び図２に示すように、円形状の躯体４の上部開口５を閉塞するように、躯体４の上部開口５に複数の可変トラス構造体１０を並列に配置し、各可変トラス構造体１０の両端の上弦材１２を躯体４側に固定し、隣接する両可変トラス構造体１０ａ、１０ｂの上弦材１２の上部間に支持手段２５を介して複数のパネル部材２０を架設し、隣接するパネル部材２０、２０間の隙間２１をシール部材２２によって閉塞することで、躯体４の上部開口５を閉塞する屋根３を構成することができる。
【００３２】
そして、各可変トラス構造体１０の所望の下弦材１４のアクチュエータ１６を伸縮させて、その下弦材１４に対応する上弦材１２をピン接合部１３のヒンジ１３ａを介して回動させて、上弦材１２の動きに追従してパネル部材２０を移動させることにより、例えば、屋根３の形状を図５（ａ）の形状から図５（ｂ）及び図５（ｃ）に示すような一部を凹ませた形状等に変化させることができ、屋根３の形状をあたかも生物ように有機的に変化させることができる。
【００３３】
上記のように構成した本実施の形態による屋根架構２にあっては、隣接する両可変トラス構造体１０ａ、１０ｂの上弦材１２の上部間に複数のパネル部材２０を架設し、各パネル部材２０を一方の可変トラス構造体１０ａのピン接合により接合された２つの上弦材１２、１２のピン接合部１３に近接する何れか一方の上弦材１２の部分に一体に立設した第１支持部材２６の上端と、他方の可変トラス構造体１０ｂのピン接合により接合された２つの上弦材１２、１２のピン接合部１３近接する何れか一方の上弦材１２の部分に第１継手２８を介して立設した第２支持部材２７の上端との間で、第２継手２９及び第３継手３０を介して支持するように構成したので、一方の可変トラス構造体１０ａの上弦材１２及び他方の可変トラス構造体１０ｂの上弦材１２が独立して移動した際に、パネル部材２０は、一方の可変トラス構造体１０ａ側では、一方の可変トラス構造体１０ａの上弦材１２、下弦材１４、及びブレース１８を含む面内方向、及び第１支持部材２６の軸周りに回動し、他方の可変トラス構造体１０ｂ側では、他方の可変トラス構造体１０ｂの上弦材１２、下弦材１４、及びブレース１８を含む面内方向、その面外方向、及び第２支持部材２７の軸周りに回動することになり、各可変トラス構造体１０ａ、１０ｂの上弦材１２の移動に追従して円滑に移動することができる。
【００３４】
従って、各可変トラス構造体１０ａ、１０ｂの上弦材１２の移動に追従して各パネル部材２０が移動しても、各パネル部材２０の各部に圧縮力や引張力等が繰り返し作用することはなく、各パネル部材２０の耐久性を大幅に高めることができる。
【００３５】
また、各パネル部材２０が移動しても、各パネル部材２０に弛みが生じるようなことがないので、各パネル部材２０の表面に雨水や雪等が滞留するようなことはない。さらに、各パネル部材２０の表面に雨水や雪等が作用しても、その雨水や雪等は隣接するパネル部材２０、２０間のシール部材２２を介して容易に排除することができる。
【００３６】
さらに、各パネル部材２０を移動させることによって屋根３全体を様々な形状に変化させることができるので、屋根３の形状の変化に追従して躯体４の内部に空気の流れを生じさせることができ、躯体４の内部で空気を循環させるために必要なエネルギーを削減することができ、経済的に有利なものを提供することができる。
【００３７】
なお、パネル部材２０の表面に例えば太陽発電用の発電パネルを設置してもよい。この場合、発電パネルが受ける太陽光エネルギーが大きくなるように屋根３を変形させることにより、高い発電効率を得ることができる。
【００３８】
また、パネル部材２０の表面に鏡のような反射率の高い部材を設置してもよい。この場合、各パネル部材２０の傾斜角が異なるので、屋根３に光を照射することで光が様々な方向へ反射され、いわゆるミラーボールのように美観に優れた効果を得ることができ、この効果を利用することで、パネル部材２０の傾斜をコミュニケーションの手段として利用することも可能となる。
【００３９】
なお、前記の説明においては、パネル部材２０として三角形板状のものを用いたが、四角形板状等の他の形状のパネル部材を用いてもよい。そのような形状のパネル部材を用いる場合には、各可変トラス構造体１０ａ、１０ｂの上弦材１２の移動に追従して各パネル部材が移動する際に、隣接するパネル部材同士が互いに干渉しないように、隣接するパネル部材間に十分な隙間を設けることにより、三角形板状のパネル部材２０と同様の作用効果を奏することになる。
【００４０】
また、前記の説明においては、下弦材１４を、下弦材本体１５と伸縮可能なアクチュエータ１６とにより構成したが、アクチュエータ１６に限らず下弦材１４を伸縮させて、下弦材１４の全長を変化させることができるものであればよい。
【００４１】
また、前記の説明においては、複数の可変トラス構造体１０を互いに平行をなすように並列に設置したが、複数の可変トラス構造体１０を必ずしも平行に設ける必要はなく、そのような場合であっても上記と同様の作用効果を奏する。
【００４２】
さらに、前記の説明においては、本発明が屋根架構２に適用された場合について説明したが、本発明はこれに限らず、種々の可変構造に適用することが可能である。
【図面の簡単な説明】
【００４３】
【図１】本発明による可変トラス構造物により構成された構造の一実施の形態の全体を示した概略図であって、屋根架構の全体を示した概略図である。
【図２】図１の部分拡大図である。
【図３】図２のＡ部の拡大図である。
【図４】可変トラス構造体の模式図である。
【図５】可変トラス構造体の移動の状態を示した説明図である。
【図６】図５におけるパネル部材の移動の状態を示した説明図である。
【符号の説明】
【００４４】
１  可変トラス構造物
２  屋根架構
３  屋根
４  躯体
５  上部開口
１０  可変トラス構造体
１０ａ  一方の可変トラス構造体
１０ｂ  他方の可変トラス構造体
１１  トラス
１２  上弦材
１３  ピン接合部
１３ａ  ヒンジ
１４  下弦材
１５  下弦材本体
１６  アクチュエータ
１７  ピン接合部
１７ａ  ヒンジ
１８  ブレース
２０  パネル部材
２０ａ  第１頂点
２０ｂ  第２頂点
２０ｃ  第３頂点
２１  隙間
２２  シール部材
２５  支持手段
２６  第１支持部材
２７  第２支持部材
２８  第１継手
２９  第２継手
３０  第３継手
【図１】
0005120074.tif 000002
【図４】
0005120074.tif 000003
【図６】
0005120074.tif 000004
【図２】
0005120074.tif 000005
【図３】
0005120074.tif 000006
【図５】
0005120074.tif 000007